(57)【要約】      （修正有）【課題】プランターや鉢等で栽培する野菜や花等に、長期間にわたり自動的に給水する自動給水装置を提供する。【解決手段】底の近くに出水口を設け上部に水補給口を備えた水容器１と、水補給口を塞ぐ水補給口蓋２と、内部に水容器を設置し水容器から流出した水６を一旦貯める受皿４と、水６を受皿４から培土に導く親水性繊維を含む紐状の繊維集合体からなる給水材５とを備える。【選択図】図１
0003180243.tif 000002
【実用新案登録請求の範囲】
【請求項１】
野菜や花等に供給する水を入れる水容器の底の近くに出水口を設け、これを受皿の中に設置して、水容器から流出した水を一旦受皿に貯め、この水を親水性繊維を含む紐状の繊維集合体からなる給水材で培土に導くことにより、野菜や花等に水を長期間にわたり安定に給水することが出来る自動給水装置。
【考案の詳細な説明】
【技術分野】
【０００１】  本考案は、プランターや鉢等で栽培する野菜や花等に、長期間にわたり自動的に給水する装置に関するものである。
【背景技術】
【０００２】  従来は、ジョロ等で通常春・秋期には毎日１回、夏期には朝と夕に各１回給水していることが多い。
【考案の概要】
【考案が解決しようとする課題】
【０００３】  野菜や花等をプランターや鉢等で栽培するには、毎日給水しなければならないので、給水忘れによる栽培の失敗や、旅行等の場合家を留守に出来ないなどの不便さがある。
更に、ジョロ等で給水する場合には、過水障害による根腐れや肥料流失、水滴が花・葉・茎に飛散することにより病気になる等の恐れがある。
【課題を解決するための手段】
【０００４】  本考案の自動給水装置の概要を説明すると、野菜や花等に供給する水６を入れる水容器１の底の近くに出水口３を設け、これを受皿４の中に設置して、水容器１の出水口３から流出した水６を一旦受皿４に貯め、この受皿４の水６を給水材５で培土７に分配する装置である。
【考案の効果】
【０００５】  水容器１の水６は、大部分が給水材５を伝わって培土７に供給されるので、長期間安定的に野菜や花等を栽培することができる。
水６は給水材５から培上７に直接供給されるので、水滴が花・葉・茎等にかかることによる病気になる恐れがない。
また給水材５の太さと本数を適切に選ぶことにより、時間当たりの給水量を調節することができるので、過水による根腐れおよび肥料の流失の可能性がない。
【図面の簡単な説明】
【０００６】
【図１】本考案の自動給水装置の実施例を示す断面図である。
【考案を実施するための形態】
【０００７】  本考案の水容器１としては、市販されている２〜２０Ｌぐらいのプラスチック容積が好適であるが、構造および機能が同等であればガラス、金属等素材の種類は限定されない。
水容器１の容積が小さすぎると給水期間が短くなり、水容器１に水の補給を頻繁にしなければならないので不便である。
また長期間に亘り連続して給水する際には、２０Ｌぐらいの水容器１を使うのが便利であるが、この場合はプランターや鉢等の培土７の表面と受皿４の底面との高さがほぼ等しくなる程度の台を、プランターや鉢等の近くに設け、この上に本考案の自動給水装置を設置する等の工夫が必要である。
水容器１に水を補給する際は、まず水補給蓋２をはずした後、出水口３を指や栓等で塞ぎ上部の水補給部分から水６を入れて、満水になった段階で水補給蓋２をしっかりと閉める。
水補給蓋２は、水補給後に閉めると空気が実質的に洩れないものであれば構造を問わない。
水補給蓋２の部分から空気が洩れると，洩れた空気の容積に相当する容積の水６が受皿４に流出するので、時間当たりの給水量が過多になり給水期間も短くなるので、さけなければならない。
自動給水装置は、給水対象の野菜や花等の近傍に設置しなければならないので、茎と茎の間隔が狭く自動給水装置をプランターや鉢等の培土７の上に設置できない場合は、前記の様に培土７の表面と受皿４の底面との高さがほぼ等しくなる程度の台を別途設置する等の工夫をする。
出水口３の形状はほぼ円形で、面積は０．５平方センチ内外が適当である。
出水口３が小さすぎると、水の表面張力の作用で受皿４に水６が流出しなくなる場合がある。
また、出水口３が大きすぎると水補給の際この部分を指や栓で塞ぐ作業が不便になる。
出水口３は、水容器１の底部より約１ｃｍ程度上に設けるのが好適である。  穴の位置が高過ぎると、それより下の水６が水容器１内に残り給水量に寄与しないので、それだけ水容器１に水６を頻繁に水補給しなければならなくなるので不便である。
受皿４は、水容器１を上に設置できる範囲内でなるべく底面積が小さい事が望ましい。
大きすぎると自動給水装置を設置する場所の選択が困難になる。
給水器１から受皿４に流出した水の受皿４内の水位は、出水口３の上端の高さとほぼ一致し一定に保たれる。
給水材５は、レイヨン、綿、麻、ビニロン、ナイロン等の親水性繊維を含む紐状の繊維集合体が、毛細管現象の作用で、受皿４の水６を培土７に導くのに好適である。
給水材５の一端を受皿４の水中６に浸漬し、もう一方の端を培土７の表面から約２ｃｍ埋めこんだ状態で、水６を野菜や花等の培土７に長期間に亘り分配し給水することが出来る。
給水材５を培上の表面を這わして給水することも出来るが、この場合は水６が空気中に蒸散し水６がその量だけ無駄になるので不利である。
【実施例】
【０００８】  ベランダに設置した、幅約２１ｃｍ×長さ約５５ｃｍ×深さ約１９ｃｍの市販のプランターに市販の野菜・花用培土を入れ、パンジーを４本植えた。
水容器として約２ＬのＰＥＴボトルの側面に底部から約１ｃｍ上の所に直径約９ｍｍのほぼ円形の出水口をもうけた。
受皿としては、幅約１３ｃｍ×長さ約１４ｃｍ×深さ約３．５ｃｍのプラスチック製皿を用いた。
プランターの側に、培土の高さとほぼ同じ高さになる約２０ｃｍの台を設け、この上に自動給水装置を設置した。
給水材としては、ビニロン約３５％綿約６５％混用の不織布テープを加撚した１ｍあたりの重さ約１．５ｇの紐をもちいた。これを約６０ｃｍの長さに切断し、その一端を受皿に浸し、その反対方向の紐を、プランター中の培土の長さ方向に沿って約２ｃｍの溝をほりこの中に埋め込んだ。
給水開始１日目の給水量は約４６１ｇ、２日目は約４４８ｇ、３日目は約４５５ｇ、４日目は約４４７ｇであった。日毎の給水量はほぼ一定であった。
５日目には水容器の水の量が少なくなったので、再度水を水容器に補給した。【０００９】  前記の実施例で用いた水容器を、プラスチックフィルムにアルミニュウムを蒸着したテープをポリエチレン・モノフィラメントで編み上げた、日光を反射できる布帛を用いてカバーを縫製し、これを水容器に被せて全面を覆った。その結果、岡山市において４月下旬の晴天の午後３時頃、日光反射カバーで覆わない場合の水温は約３４℃であったが、カバーで覆った場合は３１℃で、水温の顕著な昇温防止効果が見られた。
しかし、カバーで覆った場合の給水量は、１日目４５９ｇ、２日目４６２ｇ、３日目４４５ｇ、４日目４５６ｇであり、水温にかかわりなく給水量には、カバーしない場合との差が見られなかった。【００１０】  庭の畑を耕し、市販のキュウリ苗３本を、約５０ｃｍ間隔で定植した。
水容器として、内容積約１８Ｌの市販されている灯油容器の底から約３ｃｍ上の所に直径約１ｃｍのほぼ円形の出水口を設けた。
受皿としては、幅約２２ｃｍ×長さ約４０ｃｍ×深さ約６ｃｍのプラスチック製の受皿を用いた。
自動給水装置は、定植した中央のキュウリに近くの地面上に設置した。
給水材としては、ポリエステル約６５％、綿約３５％混紡の２０番手の紡績糸を１００本引揃えて、２．５ｃｍ当たり約１．５回加撚して、１ｍあたりの重さ約３ｇの紐を作りこれを用いた。
前記の給水材を、長さ約８０ｃｍ２本と約３０ｃｍ１本に切って、培土に２〜５ｃｍの溝を掘り、この中に埋めて受皿からそれぞれのキュウリに導いて給水した。
給水量は、１日目約６５３ｇ、２日目約６７２ｇ、３日目約６６０ｇ、４日目６７４ｇ、５日目約６５９ｇ、６日目約６６５ｇ、７日目６７１ｇであった。
２５日後水容器に水を補給するまで、給水量はほぼ一定であった。
【産業上の利用可能性】
【００１１】  アパートやマンションのベランダおよび戸建住宅の庭先で花卉を栽培したり、トマトや苺等を栽培し生活を楽しむ人が増加して、簡便な自動給水装置が望まれている。
本考案による自動給水装置は、使用に際し電気、水の供給源は給水する対象の花卉や野菜に近傍に存在する必要がないので使い易いという特色がある。
本考案の自動給水器の材料はすべて既存しており、製造に当たって特別な技術や設備は必要としないので、市場に容易に供給できる。
【符号の説明】
【００１２】１水容器
２水補給口蓋
３出水口
４受皿
５給水材
６水
７培土
【図１】
0003180243.tif 000003
【手続補正書】
【提出日】平成24年9月26日(2012.9.26)
【手続補正１】
【補正対象書類名】実用新案登録請求の範囲
【補正対象項目名】全文
【補正方法】変更
【補正の内容】
【実用新案登録請求の範囲】
【請求項１】
底の近くに出水口を設け上部に水補給口を備えた水容器と、水補給口を塞ぐ水補給口蓋と、内部に水容器を設置し水容器から流出した水を一旦貯める受皿と、水を受皿から培土に導く親水性繊維を含む紐状の繊維集合体からなる給水材とを備えた、自動給水装置。